(57)【要約】【課題】明るさを一定に保つ制御の基準値の設定処理を短縮可能なライトコントローラを提供する。【解決手段】ライトコントローラ４０は、一定の明るさに対応する明るさセンサの出力電圧値を基準値として設定する基準値設定処理において、照明器具のそれぞれが、調色機能を持たず調光機能を持つ第１タイプであるか、調色機能および調光機能を持つ第２タイプであるかを判別し、照明器具グループが第２タイプの照明器具を含まない場合には、照明器具を所定の調光率で点灯させた状態における、明るさセンサの出力電圧値を第１の基準値として設定し、照明器具グループが第２タイプの照明器具を含む場合には、照明器具を複数の色温度で所定の調光率で点灯させた複数の状態に対応する明るさセンサの複数の出力電圧値を、複数の第２の基準値として設定する。【選択図】図１
2020009535.tif 000002
【特許請求の範囲】
【請求項１】
居室の明るさを検出する明るさセンサと、照明光を発する少なくとも１つの照明器具とに接続され、外光および前記照明光による居室の明るさを一定の明るさに保つ明るさ制御を行うライトコントローラであって、
前記明るさセンサおよび前記少なくとも１つの照明器具と通信する通信部と、
前記明るさ制御を行う制御回路とを備え、
前記制御回路は、
前記明るさ制御の準備段階として、前記一定の明るさに対応する前記明るさセンサの出力電圧値を基準値として設定する基準値設定処理を行い、
前記基準値設定処理において、前記少なくとも１つの照明器具のそれぞれが、調色機能を持たず調光機能を持つ第１タイプであるか、調色機能および調光機能を持つ第２タイプであるかを判別し、
前記少なくとも１つの照明器具で構成される照明器具グループが第２タイプの照明器具を含むか否かを判別し、
前記照明器具グループが第２タイプの照明器具を含まないと判別した場合には、前記照明器具グループを所定の調光率で点灯させた状態における、前記明るさセンサの出力電圧値を第１の基準値として設定し、
前記照明器具グループが第２タイプの照明器具を含むと判別した場合には、前記照明器具グループを複数の色温度で前記所定の調光率で点灯させた複数の状態に対応する前記明るさセンサの複数の出力電圧値を、複数の第２の基準値として設定し、
前記明るさ制御の運用段階において、設定した第１の基準値または複数の第２の基準値を用いて前記明るさ制御を行う
ライトコントローラ。
【請求項２】
前記制御回路は、
前記通信部を介して前記少なくとも１つの照明器具と通信することによって、前記少なくとも１つの照明器具のそれぞれが、前記第１タイプであるか前記第２タイプであるかを判別する
請求項１に記載のライトコントローラ。
【請求項３】
前記複数の色温度は４つの色温度である
請求項１または２に記載のライトコントローラ。
【請求項４】
前記制御回路は、
前記照明器具グループが第２タイプの照明器具を含む場合には、前記照明器具グループを４つ色温度毎に前記所定の調光率で点灯させた状態、および、前記４つ色温度中の１つの色温度で前記所定の調光率と異なる調光率で点灯させた状態における５つの第２の基準値を設定する
請求項１または２に記載のライトコントローラ。
【請求項５】
前記制御回路は、
前記明るさ制御とにおいて、
定期的に前記明るさセンサの出力電圧値を取得し、
前記照明器具グループが第１タイプの照明器具を含み第２タイプの照明器具を含まない場合には、第１の基準値と取得した前記出力電圧値との差分が所定値以下になるように、前記照明器具グループの調光率を調整し、
前記照明器具グループが第２タイプの照明器具を含む場合には、前記の照明光が発する照明光の現在の色温度を判別し、前記複数の第２の基準値に基づいて現在の色温度に対応する基準値を算出し、算出した基準値と取得した前記出力電圧値との差分が前記所定値以下になるように、前記の調光率を調整する
請求項１から４のいずれか１項に記載のライトコントローラ。
【請求項６】
照明システムであって、
複数の照明器具の明るさを制御するライトコントローラと、
複数の変換器と、
複数の明るさセンサと
を備え、
前記複数の照明器具は複数の照明器具グループに分割され、
前記ライトコントローラと前記複数の変換器と前記複数の明るさセンサと前記複数の照明器具グループは、１対ｎ対ｎ対ｎ（ｎは２以上の整数）で対応し、
前記複数の変換器のそれぞれは、対応する照明器具グループを構成する照明器具と前記ライトコントローラとの間でコマンドおよび応答を変換および中継し、
前記複数の明るさセンサのそれぞれは、対応する照明器具グループを構成する照明器具の照明光および外光による居室の明るさを検出し、
前記ライトコントローラは、
前記複数の照明器具グループ毎に、外光および照明光による明るさを一定の明るさに保つ明るさ制御を行い、
前記明るさ制御の準備段階として、前記複数の照明器具グループ毎に、前記一定の明るさに対応する前記明るさセンサの出力電圧値を基準値として設定する基準値設定処理を行い、
前記基準値設定処理において、当該照明器具グループを構成する照明器具のそれぞれが、調色機能を持たず調光機能を持つ第１タイプであるか、調色機能および調光機能を持つ第２タイプであるかを判別し、
当該照明器具グループを第２タイプの照明器具を含むか否かを判別し、
当該照明器具グループが第２タイプの照明器具を含まないと判別した場合には、当該照明器具グループを構成する照明器具を所定の調光率で点灯させた状態に対応する明るさセンサの出力電圧値を第１の基準値として設定し、
当該照明器具グループが第２タイプの照明器具を含むと判別した場合には、当該照明器具グループを構成する照明器具を複数の色温度で前記所定の調光率で点灯させた複数の状態に対応する前記明るさセンサの複数の出力電圧値を、複数の第２の基準値として設定し、
前記明るさ制御の運用段階において、前記複数の照明器具グループ毎に、設定した第１基準値または複数の第２の基準値を用いて前記明るさ制御を行う
照明システム。
【請求項７】
前記ライトコントローラは、
前記変換器を介して前記複数の照明器具と通信することによって、前記複数の照明器具のそれぞれが、前記第１タイプであるか前記第２タイプであるかを判別する
請求項６に記載の照明システム。
【請求項８】
前記複数の色温度は４つの色温度である
請求項６または７に記載の照明システム。
【請求項９】
前記ライトコントローラは、
前記照明器具グループが第２タイプの照明器具を含む場合には、前記照明器具グループを４つ色温度毎に前記所定の調光率で点灯させた状態、および、前記４つの色温度中の１つの色温度で前記所定の調光率と異なる調光率で点灯させた状態に対応する１５つの第２の基準値を設定する
請求項６または７に記載の照明システム。
【請求項１０】
前記ライトコントローラは、
前記明るさ制御において、
前記複数の照明器具グループ毎に、定期的に前記明るさセンサの出力電圧値を取得し、
照明器具グループが第１タイプの照明器具を含み第２タイプの照明器具を含まない場合には、当該照明器具グループの第１の基準値と取得した前記出力電圧値との差分が所定値以下になるように、当該照明器具グループを構成する照明器具の調光率を調整し、
照明器具グループが第２タイプの照明器具を含む場合には、当該照明器具グループの照明光が発する照明光の現在の色温度を判別し、当該照明器具グループの前記複数の第２の基準値に基づいて現在の色温度に対応する基準値を算出し、算出した基準値と取得した前記出力電圧値との差分が前記所定値以下になるように、当該照明器具グループを構成する照明器具の調光率を調整する
請求項８に記載の照明システム。
【請求項１１】
前記複数の照明器具を備える
請求項６から１０のいずれか１項に記載の照明システム。
【請求項１２】
居室の明るさを検出する明るさセンサと、照明光を発する少なくとも１つの照明器具とに接続され、外光および前記照明光による居室の明るさを一定の明るさに保つ明るさ制御を行うライトコントローラにおける、前記一定の明るさに対応する前記明るさセンサ３０の出力電圧値を基準値として設定する基準値設定方法であって、
前記少なくとも１つの照明器具のそれぞれが、調色機能を持たず調光機能を持つ第１タイプであるか、調色機能および調光機能を持つ第２タイプであるかを判別し、
前記少なくとも１つの照明器具で構成される照明器具グループが、第２タイプの照明器具を含むか否かを判別し、
前記照明器具グループが第２タイプの照明器具を含まないと判別した場合には、前記照明器具グループを所定の調光率で点灯させた状態に対応する前記明るさセンサの出力電圧値を第１の基準値として設定し、
前記照明器具グループが第２タイプの照明器具を含むと判別した場合には、前記照明器具グループを複数の色温度毎に前記所定の調光率で点灯させた複数の状態に対応する前記明るさセンサの出力電圧値を複数の第２の基準値として設定する
基準値設定方法。
【発明の詳細な説明】
【技術分野】
【０００１】
本発明は、居室の明るさを一定に維持する明るさ制御を行うライトコントローラ、照明システムおよび明るさ制御の基準値設定方法に関する。
【背景技術】
【０００２】
特許文献１は、複数の照明装置と、照明装置に関する設定を行う設定器と、照明装置を制御する照明コントローラとを備える照明システムを開示している。この照明コントローラは、複数のエリアコントローラと、それらの制御する統合コントローラとを備える。
【０００３】
特許文献２は、住宅または商業地内のライトを、パーソナルコントローラとの無線通信リンクを通して制御する照明システムを開示している。
【０００４】
特許文献３は、照明対象物（例えば、料理、商品）の種類（例えば、赤系の魚料理、青白系の魚料理など）、状態（表面状態、配置状態）を判別すると共に、その判別結果に基づいて、照明器具による照明対象物への照明演出（光源の明るさ、光色、照明方向、照明
範囲など）を制御するレストランシステムを構成する注文制御装置（照明制御装置）を開示している。
【先行技術文献】
【特許文献】
【０００５】
【特許文献１】特開２０１６−９１６３７号公報
【特許文献２】特開２０１６−５１７１９９号公報
【特許文献３】特開２０１５−６０６６４９号公報
【発明の概要】
【発明が解決しようとする課題】
【０００６】
しかしながら、上記従来技術によれば、照明システムにおいて、明るさセンサを用いて居室の明るさを一定に維持する明るさ制御を行う場合に、基準値の設定処理に時間がかかるという問題がある。
【０００７】
より詳しく説明すると、基準値とは上記の明るさ制御における一定の明るさに対応する明るさセンサの出力値として定められる。つまり、基準値は、居室が上記の一定の明るさであるときの明るさセンサの出力値である。上記の明るさ制御は、居室に照明光以外の外光の量が多い場合でも少ない場合でも、明るさセンサの出力値が基準値と一致するように調光する制御をいう。上記の基準値は、照明システムの設置環境に依存し、つまり、居室における壁や床の色、什器の配置や色等の影響を受ける。基準値の設定処理は、外光がほぼ存在しない状態で、照明光を所定の調光率（例えば１００％）で点灯した場合の明るさセンサの出力値を測定し、基準値として設定する処理をいう。
【０００８】
ところで、上記の明るさ制御に利用される照明器具には、明るさを調節する調光機能を有し、色を調節する調色機能を有しない照明器具と、調光機能と調色機能の両方を有する照明器具等がある。基準値の設定処理では、調色機能を有する照明器具が存在する場合には、上記の基準値は、異なる色（またま色温度）毎に設定することが望ましい。この場合、基準値の設定処理は、調色機能を有する照明器具が存在しない場合と比べて、長い時間を要する。
【０００９】
本発明は、調光機能を有し調色機能を有しない照明器具と、調光機能と調色機能の両方を有する照明器具とを接続し得る照明システムにおいて、明るさを一定に保つ明るさ制御のための基準値の設定処理を短縮するライトコントローラ、照明システムおよび基準値設定方法を提供することを目的とする。
【課題を解決するための手段】
【００１０】
上記目的を達成するために、本発明に係るライトコントローラの一形態は、居室の明るさを検出する明るさセンサと、照明光を発する少なくとも１つの照明器具とに接続され、外光および前記照明光による居室の明るさを一定の明るさに保つ明るさ制御を行うライトコントローラであって、前記明るさセンサおよび前記少なくとも１つの照明器具と通信する通信部と、前記明るさ制御を行う制御回路とを備え、前記制御回路は、前記明るさ制御の準備段階として、前記一定の明るさに対応する前記明るさセンサの出力電圧値を基準値として設定する基準値設定処理を行い、前記基準値設定処理において、前記少なくとも１つの照明器具のそれぞれが、調色機能を持たず調光機能を持つ第１タイプであるか、調色機能および調光機能を持つ第２タイプであるかを判別し、前記少なくとも１つの照明器具で構成される照明器具グループが第２タイプの照明器具を含むか否かを判別し、前記照明器具グループが第２タイプの照明器具を含まないと判別した場合には、前記照明器具グループを所定の調光率で点灯させた状態における、前記明るさセンサの出力電圧値を第１の基準値として設定し、前記照明器具グループが第２タイプの照明器具を含むと判別した場合には、前記照明器具グループを複数の色温度で前記所定の調光率で点灯させた複数の状態に対応する前記明るさセンサの複数の出力電圧値を、複数の第２の基準値として設定し、前記明るさ制御の運用段階において、設定した第１の基準値または複数の第２の基準値を用いて前記明るさ制御を行う。
【発明の効果】
【００１１】
本発明に係るライトコントローラ、照明システムおよび基準値設定方法によれば、明るさを一定に保つ明るさ制御のための基準値の設定処理を短縮することができる。
【図面の簡単な説明】
【００１２】
【図１】図１は、実施の形態１に係る照明システムの構成例を示すブロック図である。
【図２】図２は、実施の形態１に係る有線変換器の構成例を示すブロック図である。
【図３】図３は、実施の形態１に係る無線変換器の構成例を示すブロック図である。
【図４】図４は、実施の形態１に係るライトコントローラの構成例を示すブロック図である。
【図５】図５は、実施の形態１に係る照明システムの動作シーケンス例を示す図である。
【図６】図６は、実施の形態１に係る照明器具のタイプおよびグループを示すグループテーブルの一例を示す図である。
【図７】図７は、実施の形態１に係る色温度に対する１００％点灯時の明るさの特性例を示す図である。
【図８】図８は、実施の形態１に係る基準値データの例を示す図である。
【図９】図９は、実施の形態１に係るライトコントローラにおける基準値設定処理の具体例を示すフローチャートである。
【図１０】図１０は、図９のステップＳ１５の詳細例を示すフローチャートである。
【図１１】図１１は、図９のステップＳ１６の詳細例を示すフローチャートである。
【図１２】図１２は、実施の形態１に係るライトコントローラにおける明るさ制御の処理例を示すフローチャートである。
【図１３】図１３は、図１２のステップＳ４５の詳細例を示すフローチャートである。
【図１４】図１４は、図１２のステップＳ４６の詳細例を示すフローチャートである。
【図１５】図１５は、実施の形態２に係る照明システムの構成例を示すブロック図である。
【図１６】図１６は、実施の形態２に係るライトコントローラにおける基準値設定処理を示すフローチャートである。
【発明を実施するための形態】
【００１３】
以下、本発明の実施の形態について、図面を用いて詳細に説明する。なお、以下で説明する実施の形態は、いずれも本発明の好ましい一具体例を示す。以下の実施の形態で示される数値、形状、材料、構成要素、構成要素の配置位置および接続形態、ステップおよびステップの順序等は、一例であり、本発明を限定する主旨ではない。また、以下の実施の形態における構成要素のうち、本発明の最上位概念を示す独立請求項に記載されていない構成要素については、より好ましい形態を構成する任意の構成要素として説明する。また、各図は、模式図であり、必ずしも厳密な寸法を表すものではない。
【００１４】
（実施の形態１）
［１．１  照明システムの構成例］
まず、実施の形態１に係る照明システムの構成例について説明する。
【００１５】
図１は、実施の形態１に係る照明システムの構成例を示すブロック図である。同図の照明システムは、照明器具１０１〜１１３、有線変換器２０ａ、無線変換器２０ｂ、２０ｃ、ライトコントローラ４０および端末装置５０を備える。
【００１６】
照明器具１０１〜１１３のそれぞれは、ＬＥＤ（Light Emitting Diode）、白熱灯または蛍光灯等を光源とする照明装置であり、照明光の明るさを調節する調光機能を有する。また、照明器具１０１〜１１３は、照明光の色または色温度を調整する調色機能を有する照明器具と、有しない照明器具とが混在可能である。以下では、調色機能を持たず調光機能を持つ照明器具を第１タイプの照明器具と呼び、調色機能および調光機能を持つ照明器具を第２タイプの照明器具と呼ぶ。個々の照明器具を第１タイプにするか第２タイプでするかは、照明システムの配置設計において決定される。
【００１７】
照明器具１０１〜１１３のそれぞれは、ライトコントローラ４０との通信に用いられるアドレスを有し、ライトコントローラ４０から個別の制御を受ける。また、照明器具１０１〜１１３は、図１では、複数の照明器具グループＧ１〜Ｇ３に分割されているものとする。同じ照明器具グループ内の照明器具は、同じ居室また区画に配置され、同じ明るさ制御を受けるものとする。
【００１８】
有線変換器２０ａは、ライトコントローラ４０と有線で接続され、かつ、照明器具１０１〜１０７と有線で接続され、ライトコントローラ４０と照明器具１０１〜１０７との間でコマンドおよび応答を変換および中継する。ここで、コマンドは、例えば、ライトコントローラ４０から照明器具への点灯、消灯、調光および調色などの各種指示、照明器具への情報の問い合わせ等である。応答は、照明器具からライトコントローラ４０への応答であり、例えば、ＡＣＫ（ACKnowledgement）、ＮＡＣＫ（Negative ACKnowledgement）、問合せへの回答等である。また、ライトコントローラ４０と有線変換器２０ａとの間の通信プロトコルと、ライトコントローラ４０と照明器具との間の通信プロトコルとが異なる場合は、プロトコル変換を行う。
【００１９】
無線変換器２０ｂは、明るさセンサ３０ｂを有し、ライトコントローラ４０と有線で接続され、かつ、照明器具１０１〜１０７と無線で接続される。無線変換器２０ｂは、明るさセンサ３０ｂを有する点と、照明器具と無線変換器２０ｂとの間の接続が有線ではなく無線である点とを除きは、有線変換器２０ａと同様の機能を有する。
【００２０】
無線変換器２０ｃも、無線変換器２０ｂと同様である。
【００２１】
明るさセンサ３０ｂは、対応する照明器具グループを構成する照明器具の照明光および外光による居室の明るさを検出し、例えば、明るさに比例して増加する電圧値を出力する。図１では、明るさセンサ３０ｂは、照明器具グループＧ２に対応する。
【００２２】
明るさセンサ３０ｃは、照明器具グループＧ３に対応する点以外は、明るさセンサ３０ｂと同様である。
【００２３】
ライトコントローラ４０は、明るさセンサを用いて外光および照明光による居室の明るさを一定の明るさに保つ明るさ制御を行う。図１では、明るさセンサ３０ｂ、３０ｃを利用可能な照明器具グループＧ２、Ｇ３は、明るさ制御の対象になるが、明るさセンサを利用できない照明器具グループＧ１は、明るさ制御の対象にならない。この明るさ制御の準備段階として、ライトコントローラ４０は、一定の明るさに対応する明るさセンサの出力電圧値を基準値として設定する基準値設定処理を行う。明るさセンサの出力電圧値は、明るさに応じた値を示し、例えば比例した値をもつ。基準値設定処理では、ライトコントローラ４０は、照明器具グループＧ２、Ｇ３を構成する照明器具のそれぞれが、第１タイプであるか第２タイプであるかを判別する。さらに、ライトコントローラ４０は、照明器具グループＧ２、Ｇ３それぞれが、第２タイプを含むか否かを判別する。判別の結果、ライトコントローラ４０は、第１タイプの照明器具を含み第２タイプの照明器具を含まない照明器具グループを対象に、照明器具を所定の調光率で点灯させた状態における、明るさセンサの出力電圧値を第１の基準値として設定し、第２タイプの照明器具を含む照明器具グループを対象に、複数の色温度で所定の調光率で点灯させた複数の状態に対応する明るさセンサの複数の出力電圧値を、複数の第２の基準値として設定する。
【００２４】
ここで、基準値について説明する。第２タイプの照明器具を含まない照明器具グループの明るさセンサを対象とする基準値を第１の基準値と呼ぶ。第２タイプの照明器具を含まない照明器具グループの明るさセンサに対して、１つの第１の基準値が設定される。また、第２タイプの照明器具を含まない照明器具グループの明るさセンサを対象とする基準値を第２の基準値と呼ぶ。第２タイプの照明器具を含む照明器具グループの明るさセンサに対して、複数の第２の基準値が設定される。本明細書では第１の基準値と第２の基準値とを特に区別する必要がない場合には単に基準値と呼ぶ。
【００２５】
また、ライトコントローラ４０は、照明器具１０１〜１１３と通信することにより、スケジュールデータ等に基づいて照明器具１０１〜１１３に対する点灯、消灯、調光および調色を制御する。図１では、ライトコントローラ４０は、変換器（有線変換器２０ａ、無線変換器２０ｂ、２０ｃ）を介して間接的に照明器具１０１等に通信する構成例を示している。より具体的に説明すると、ライトコントローラ４０は、照明器具１０１〜１１３の配置を示す配置データ、照明器具１０１〜１１３のアドレスを示すアドレスデータ、照明器具グループＧ１〜Ｇ３毎のメンバーを示すグループデータ、照明器具グループＧ１〜Ｇ３毎に時系列的な照明スケジュールを示すスケジュールデータ、照明器具グループＧ１〜Ｇ３毎に明るさおよび色を定義するシーンデータ、明るさ制御用の基準値等を記憶し、これらのデータに基づいて、照明器具グループＧ１〜Ｇ３それぞれを制御する。これらのデータは、主に端末装置５０によって、照明システムの設置工事の一部としてライトコントローラ４０に設定される。例えば、スケジュールデータには、９時〜１２時の時間帯に上記の明るさ制御を行い、１２時〜１３時の時間帯に調光率７０％で照明し、１３時〜１７時の時間帯に上記の明るさ制御を行う等のスケジュールを示す。
【００２６】
［１．２  有線変換器の構成例］
次に、有線変換器２０ａの構成例について説明する。
【００２７】
図２は、実施の形態１に係る有線変換器２０ａの構成例を示すブロック図である。同図の有線変換器２０ａは、第１通信部２１ａ、第２通信部２２、メモリ２４、およびＣＰＵ２５を備える。
【００２８】
第１通信部２１ａは、有線接続された照明器具と通信する。
【００２９】
第２通信部２２は、ライトコントローラ４０と通信する。
【００３０】
メモリ２４は、プログラムおよびデータを記憶する。プログラムは、例えば、有線変換器２０ａに接続された照明器具とライトコントローラ４０との間でコマンドおよび応答を変換および中継するための、通信プロトコル変換プログラムおよび中継プログラムを含む。データは、例えば、ライトコントローラ４０のアドレス、有線変換器２０ａに接続された照明器具のアドレス、自身のアドレス等を含む。
【００３１】
ＣＰＵ２５は、メモリ２４にプログラムを実行することにより、照明器具とライトコントローラ４０との間でコマンドおよび応答を変換および中継する。
【００３２】
なお、メモリ２４のデータは、照明システムの設置工事において初期設定され、照明システムの変更時に更新される。
【００３３】
［１．３  無線変換器の構成例］
次に、無線変換器２０ｂの構成例について説明する。
【００３４】
図４は、実施の形態１に係る無線変換器２０ｂの構成例を示すブロック図である。同図の無線変換器２０ｂは、無線通信部２１ｂ、第２通信部２２、メモリ２４、ＣＰＵ２５および明るさセンサ３０ｂを備える。同図の無線変換器２０ｂは、図３と比べて、第１通信部２１ａの代わりに無線通信部２１ｂを備える点と、明るさセンサ３０ｂを備える点とが異なっている。以下異なる点を中心に説明する。
【００３５】
無線通信部２１ｂは、ペアリングされた照明器具と通信する。ペアリングされた照明器具というのは、無線変換器２０ｂの無線通信相手として対応付けされた照明器具をいう。照明器具と無線変換器とは、無線通信相手としてのアドレスを互いに記憶するによりペアリングされる。照明器具と無線変換器とのペアリングは、例えば端末装置５０により実行される。図１では、無線変換器２０ｂは、照明器具１０８、１０９とそれぞれペアリングされているものとする。また、照明器具と有線変換器とのペアリングは、有線により物理的に対応付けされている。図１では、有線変換器２０ａは、照明器具１０１〜１０７のそれぞれと、有線接続により通信相手が一意に対応付けられる。有線変換器２０ａおよび照明器具１０１〜１０７は、有線接続により対応付けられた通信相手としてのアドレスを互いに記憶している。
【００３６】
明るさセンサ３０ｂは、照明器具グループＧ２を構成する照明器具１０６〜１０９がカバーする照明範囲の明るさを検出可能な位置に配置され、照明光および外光による居室の明るさを検出する。明るさセンサ３０ｂは、検出結果として明るさに比例する電圧値を出力するものとする。
【００３７】
なお、明るさセンサ３０ｂは、無線変換器２０ｂに内蔵されていなくてもよく、無線変換器２０ｂとは独立してライトコントローラ４０に接続され、通信可能な構成でもよい。明るさセンサ３０ｃもどうようである。
【００３８】
また、無線変換器２０ｃも、図４の無線変換器２０ｂと同じ構成でよい。ただし、図１では、無線変換器２０ｃは、照明器具１１０〜１１３とそれぞれペアリングされているものとする。
【００３９】
［１．４  ライトコントローラの構成例］
次に、ライトコントローラ４０の構成例について説明する。
【００４０】
図４は、実施の形態１に係るライトコントローラ４０の構成例を示すブロック図である。同図のライトコントローラ４０は、無線部４１、第２通信部４２、メモリ４３および制御回路４４を備える。
【００４１】
無線部４１は、端末装置５０と無線通信する。
【００４２】
第２通信部４２は、有線変換器２０ａ、無線変換器２０ｂおよび無線変換器２０ｃと有線接続され、有線変換器２０ａ、無線変換器２０ｂおよび無線変換器２０ｃを介して照明器具１０１〜１１３と通信する。
【００４３】
メモリ４３は、各種データおよび各種プログラムを記憶する。各種データは、照明器具１０１〜１１３の配置を示す配置データ、照明器具１０１〜１１３のアドレスを示すアドレスデータ、照明器具グループＧ１〜Ｇ３毎のメンバーを示すグループデータ、照明器具グループＧ１〜Ｇ３毎に時系列的な照明スケジュールを示すスケジュールデータ、照明器具グループＧ１〜Ｇ３毎に明るさおよび色を定義するシーンデータ、明るさ制御用の基準値データ等を含む。各種プログラムは、基準値設定処理プログラム、明るさ制御プログラム、スケジュール動作プログラム等を含む。基準値設定処理プログラムは、既に説明した基準値設定処理を実行するためのプログラムである。明るさ制御プログラムは、既に説明した明るさ制御を実行するためのプログラムである。スケジュール動作プログラムは、既に説明した時系列的なスケジュールデータに従って照明器具１０１〜１１３を動作させるプログラムである。
【００４４】
制御回路４４は、メモリ４３に記憶されたプログラムを実行するＣＰＵである。制御回路４４は、各種プログラムの実行時に各種データを参照することによって、上記の基準値設定処理および明るさ制御等を行う。
【００４５】
［１．５  照明システムの動作例］
以上のように構成された実施の形態における照明システムについて、その動作例説明する。
【００４６】
図５は、実施の形態１に係る照明システムの動作シーケンス例を示す図である。同図では、照明システムの準備段階および運用段階における、ライトコントローラ４０と複数の変換器と複数の照明器具との間の通信シーケンスの一例を示している。図５の照明システムは、複数の変換器として、有線変換器２０ａおよび無線変換器２０ｂ、２０ｃを含むｎ台の変換器を備えるものとする。また、複数の照明器具として、照明器具１０１〜１１３を含むｍ台の照明器具を備えるものとする。
【００４７】
準備段階は、ライトコントローラ４０、複数の変換器および複数の照明器具を建物の居室などに配置および配線する設置作業の直後に行われる処理であって、アドレス設定処理、および、基準値設定処理を含む。
【００４８】
アドレス設定処理は、タイプ判別処理およびテーブル作成処理を含む。
【００４９】
タイプ判別処理は、設置作業で設置された照明器具のそれぞれが、調色機能を持たず調光機能を持つ第１タイプであるか、調色機能および調光機能を持つ第２タイプであるかを判別する処理である。ライトコントローラ４０は、タイプ問合せコマンドをｎ台の変換器を介してｍ台の照明器具に送信する。ｍ台の照明器具は、第１のタイプか第２のタイプであるを示す応答を、変換器を介してライトコントローラ４０に送信する。この応答によりライトコントローラ４０は、照明器具のそれぞれが第１タイプであるか第２タイプであるかを判別する。なお、ライトコントローラ４０は、タイプ問合せコマンドを、ブロードキャストアドレスを宛先として送信してもよいし、照明器具の個別のアドレスを宛先として送信してもよい。
【００５０】
テーブル作成処理は、ペアリングおよびグループ分けを行い、その結果を示すペアリングテーブルおよびグループテーブルを作成する処理である。ライトコントローラ４０は、ペアリングおよびグループ分けを、端末装置５０からの指示に基づいて行う。
【００５１】
ペアリングの一例について図１の照明システムを用いて説明する。図１において７台の照明器具１０１〜１０７のそれぞれは、有線変換器２０ａにペアリングされている。このペアリングは有線の配線接続によって一意に定められる。２台の照明器具１０８、１０９のそれぞれは無線変換器２０ｂにペアリングされている。４台の照明器具１１０〜１１３のそれぞれは、無線変換器２０ｃにペアリングされている。ライトコントローラ４０は、無線変換器２０ｂ、２０ｃのペアリングを、端末装置５０からの明示的な指示によって行う。
【００５２】
グループ分けの一例について図１の照明システムを用いて説明する。図１において５台の照明器具１０１〜１０５は、照明器具グループＧ１を構成する。４台の照明器具１０６〜１０９のは照明器具グループＧ２を構成する。４台の照明器具１１０〜１１３は、照明器具グループＧ３を構成する。ライトコントローラ４０は、これらのグループ分けを、端末装置５０からの明示的な指示に従って行い、その結果を示すグループテーブルを作成する。
【００５３】
図６は、実施の形態１に係る照明器具のタイプおよびグループを示すグループテーブルの一例を示す図である。同図のグループテーブルは、メンバーＩＤとタイプと照明器具グループ名とを対応付けている。
【００５４】
メンバーＩＤは、グループのメンバーである照明器具のＩＤを示す。図６では、グループに対応する明るさセンサが存在する場合は、明るさセンサもメンバーとして記載している。図６では、メンバーＩＤは、図１の符号を代用として記しているが、実際にはアドレスやＩＤが用いられる。明るさセンサのメンバーＩＤも、実際には明るさセンサ自身のアドレスまたは対応する無線変換器のアドレスが用いられる。
【００５５】
タイプは、メンバーのタイプを示す。同図の「１（調光）」は、対応するグループメンバーが第１タイプの照明器具であることを示す。「２（調色）」は、対応するグループメンバーが第２タイプの照明器具であることを示す。「３（センサ）」は、対応するグループメンバーが明るさセンサであることを示す。
【００５６】
照明器具グループ名は、図１に示したＧ１〜Ｇ３に対応する。
【００５７】
次に、第２タイプの照明器具、つまり、調光機能も調色機能も有する照明器具における色温度と明るさとの関係について説明する。
【００５８】
図５において基準値設定処理は、グループ判別処理とグループ別設定処理とを含む。
【００５９】
グループ判別処理は、タイプ判別処理の判別結果およびグループテーブルを用いて、照明器具グループ毎に、照明器具グループが第２タイプの照明器具を含むか否かを判別する処理である。
【００６０】
グループ別設定処理は、照明器具グループ毎に基準値を設定する処理である。具体的には、照明器具グループが第２タイプの照明器具を含まないと判別した場合には、当該照明器具グループを構成する照明器具を所定の調光率で点灯させた状態に対応する明るさセンサの出力電圧値を第１の基準値として設定する。照明器具グループが第２タイプの照明器具を含むと判別した場合には、当該照明器具グループを構成する照明器具を複数の色温度で所定の調光率で点灯させた複数の状態に対応する明るさセンサの複数の出力電圧値を、複数の第２の基準値として設定する.  次に、調色機能を有する第２タイプの照明器具を含む照明器具グループでは、基準値として複数の第２の基準値が設定される理由について説明する。
【００６１】
図７は、実施の形態１に係る色温度に対する１００％点灯時の明るさの特性例を示す図である。同図の横軸は色温度を示す。縦軸は調光率１００％点灯時の発光量（ここでは光束量）を示す。同図に示すように、第２タイプの照明器具は、調光率１００％で点灯したとき、色温度によって発光量が異なっている。色温度２７００Ｋ、４０００Ｋ、５０００Ｋ、６５００Ｋのそれぞれの明るさを明るい順に並べると、Ａ（５０００Ｋ）、Ｂ（４０００Ｋ）、Ｃ（６５００Ｋ）、Ｄ（２７００Ｋ）になる。
【００６２】
このように、第２タイプの照明器具では、同じ１００％点灯でも色温度が異なれば発光量が異なる。第２タイプの照明器具を用いて、居室の明るさを一定に保つ明るさ制御を行う場合、色温度５０００Ｋでの基準値と、色温度２７００Ｋでの基準値とを別個に設定する必要がある。
【００６３】
言い換えれば、１つの基準値では第２タイプの照明器具の明るさ制御を正しくすることができない。例えば、色温度２７００ＫのＤの明るさだけを基準値として設定した場合、「１００％点灯時にはＤの明るさになる」という情報しか持っていないことになる。この状態で、５０００Ｋの色温度で明るさ制御を行ったとすると、Ｄの明るさにしようとして１００％点灯させると、Ｄより明るいＡの明るさになり、明るすぎる状態になってしまう。つまり、１つの基準値では異なる色温度で明るさを一定に保つことができない。
【００６４】
これを避けるには、５０００Ｋで１００％点灯させたときにとのくらいの明るさになるのかを記憶しておく必要があり、つまり、異なる色温度に対応する複数の基準値が必要となる。
【００６５】
そこで、本実施の形態におけるライトコントローラ４０は、基準値設定処理において、対象となる１つ以上の照明器具のそれぞれが、調色機能を持たず調光機能を持つ第１タイプであるか、調色機能および調光機能を持つ第２タイプであるかを判別する。さらに、ライトコントローラ４０は、対象となる１つ以上の照明器具が第２タイプの照明器具を含まない場合に、照明器具を所定の調光率で点灯させた状態における、明るさセンサの出力電圧値を第１の基準値として設定する。一方、ライトコントローラ４０は、対象となる１つ以上の照明器具が第２タイプの照明器具を含む場合に、複数の色温度で所定の調光率で点灯させた複数の状態に対応する明るさセンサの複数の出力電圧値を、複数の第２の基準値として設定する。
【００６６】
次に、基準値設定処理によって設定される基準値の一例について説明する。
【００６７】
図８は、実施の形態１に係る基準値データの例を示す図である。図８は、図１および図６の照明システムにおける照明器具グループＧ１〜Ｇ３を対象とする基準値の例を示す。同図の第１の基準値Ｖｒｅｆ１は、第２タイプの照明器具を含まない照明器具グループを対象とする基準値である。第２の基準値Ｖｒｅｆ２は、第２タイプの照明器具を含む照明器具グループを対象とする基準値である。
【００６８】
照明器具グループＧ１は、明るさセンサが対応しないので明るさ制御の対象から除外される。よって、照明器具グループＧ１を対象とする基準値は設定されない。
【００６９】
照明器具グループＧ２は、第２タイプの照明器具１０８および１０９を含み、調色機能を有する。この照明器具グループＧ２には複数の第２の基準値が設定されている。この例では、照明器具グループＧ２を対象とする第２の基準値は、４つ色温度毎に所定の調光率で点灯させた状態、および、４つ色温度中の１つの色温度で所定の調光率と異なる調光率で点灯させた状態の５つの状態に対応する５つの第２の基準値を示している。５つの第２の基準値は、色温度２７００Ｋで１００％点灯に対応する２．５Ｖ、色温度４０００Ｋで１００％点灯に対応する２．９Ｖ、色温度５０００Ｋで１００％点灯に対応する３．０Ｖ、色温度６５００Ｋで１００％点灯に対応する２．７Ｖ、色温度５０００Ｋで５０％点灯に対応する１．５Ｖである。
【００７０】
照明器具グループＧ３は、第２タイプの照明器具を含まないので調色機能を有しない。この照明器具グループＧ３には１つの第１の基準値が設定されている。この例では、第１の基準値は、１００％点灯に対応する２．９Ｖである。
【００７１】
［１．６  照明システムの基準値設定処理の具体例］
次に、実施の形態１における照明システムにおける基準値設定処理の具体例について説明する。
【００７２】
図９は、実施の形態１に係るライトコントローラ４０における基準値設定処理の具体例を示すフローチャートである。図９において、まずライトコントローラ４０は、明るさセンサ３０ｂおよび３０ｃを用いて明るさを測定し（Ｓ１１）、明るさを示すセンサの出力値がしきい値ｔｈ０より小さければループ１に進み、そうでなければ基準値設定処理を終了する（Ｓ１２）。基準値設定処理は、照明器具が設置された居室において外光がほとんど存在しない状態で行う必要があり、ステップＳ１１およびＳ１２は、照明システムを消灯した状態で、かつ、外光がほぼ存在しない状態かどうかをチェックする。そのため、しきい値ｔｈ０は、例えば、明るさセンサ３０ｂまたは３０ｃが検知可能な明るさの最小値に相当する値でよい。
【００７３】
ループ１（Ｓ１３〜Ｓ１７）は、明るさセンサが対応付けられた照明器具グループ毎に行われる。図１の照明システムの例では、図９のループ１は、明るさセンサが対応付けられていない照明器具グループＧ１を対象としないで、明るさセンサが対応付けられた照明器具グループＧ２およびＧ３を対象とする。
【００７４】
ループ１において、ライトコントローラ４０は、対象となる照明器具グループが第２タイプの照明器具を含むか否かを判定し（Ｓ１４）、含まないと判定した場合には調光タイプの設定処理を実行し（Ｓ１５）、含むと判定した場合には調色タイプの設定処理を実行する（Ｓ１６）。ステップＳ１４は図５のグループ判別処理に対応し、ステップＳ１５およびＳ１６は図５のグループ別設定処理に対応する。ここで、調光タイプの設定処理とは、第２タイプの照明器具を含まない照明器具グループおよびそれに対応する明るさセンサを対象として基準値を設定する処理をいう。調色タイプの設定処理とは、第２タイプの照明器具を含む照明器具グループおよびそれに対応する明るさセンサを対象として基準値を設定する処理をいう。
【００７５】
図１０は、図９のステップＳ１５（調光タイプの設定処理）の詳細例を示すフローチャートである。ライトコントローラ４０は、対象となる照明器具グループを構成する照明器具を所定の調光率で点灯させ（Ｓ２１）、この状態で明るさセンサを用いて明るさを測定し（Ｓ２２）、つまり、明るさセンサの出力値を取得し、この出力値を第１の基準値Ｖｒｅｆ１として記憶する（Ｓ２３）。所定の調光率は１００％でよい。このように図１０の調光タイプの設定処理では、第２タイプの照明器具を含まない照明器具グループ、つまり調色機能を有しない照明器具グループに対して、１つの第１の基準値が設定される。
【００７６】
図１１は、図９のステップＳ１６（調色タイプの設定処理）の詳細例を示すフローチャートである。ライトコントローラ４０は、ループ２（Ｓ３１〜Ｓ３５）においてＮ個の色温度毎の処理を行う。Ｎは例えば４である。この場合、４つの色温度は、図７に示した、２７００Ｋ、４０００Ｋ、５０００Ｋ、６５００Ｋの４つとしてもよい。ループ２において、ライトコントローラ４０は、対象となる照明器具グループを構成する照明器具を当該色温度で所定の調光率（例えば１００％）で点灯させ（Ｓ３２）、この状態で明るさセンサを用いて明るさを測定し（Ｓ３３）、つまり、明るさセンサの出力値を取得し、この出力値を第２の基準値Ｖｒｅｆ２の１つとして記憶する（Ｓ３４）。
【００７７】
ループ２の後、ライトコントローラ４０は、対象となる照明器具グループを構成する照明器具を、Ｎ個の色温度中の１つの色温度で上記の所定の調光率と異なる調光率で点灯させ（Ｓ３６）、この状態で明るさセンサを用いて明るさを測定し（Ｓ３７）、その出力値を第２の基準値Ｖｒｅｆ２の１つとして記憶する（Ｓ３８）。
【００７８】
このように図１１の調色タイプの設定処理では、第２タイプの照明器具を含む照明器具グループ、つまり調色機能を有する照明器具グループに対して、５つの第２の基準値が設定される。
【００７９】
［１．７  照明システムの明るさ制御の具体例］
次に、実施の形態１における照明システムにおける明るさ制御の具体例について説明する。
【００８０】
図１２は、実施の形態１に係るライトコントローラ４０における明るさ制御の処理例を示すフローチャートである。同図においてライトコントローラ４０は、ループ１（Ｓ４１〜Ｓ４７）の繰り返し処理を一定時間毎に行う。一定時間は、例えば１秒でもよく、数１００ｍＳから数分あるいは数十分でもよい。
【００８１】
ループ１において、ライトコントローラ４０は、明るさセンサを明るさの測定を指示するコマンドを送信することにより明るさを測定し（Ｓ４２）、明るさセンサの出力電圧値Ｖｓを取得する（Ｓ４３）。さらに、ライトコントローラ４０は、処理対象の照明器具グループが第２タイプの照明器具を含むか否かを判定し（Ｓ４４）、含まないと判定したとき調光タイプの明るさ処理を実行（Ｓ４５）、含むと判定したとき調色タイプの明るさ処理を実行する（Ｓ４６）。ここで、調光タイプの明るさ処理とは、第２タイプの照明器具を含まない照明器具グループおよびそれに対応する明るさセンサを対象として、現在の明るさセンサの出力電圧値が、既に設定された基準値（第１の基準値）とほぼ同じ値になるよう照明器具の照明光の明るさを調節する処理をいう。また、調色タイプの明るさ処理とは、第２タイプの照明器具を含む照明器具グループおよびそれに対応する明るさセンサを対象として、現在の明るさセンサの出力電圧値が、既に設定された基準値（色温度毎の第２の基準値）とほぼ同じ値になるよう照明器具の照明光の明るさを調節する処理をいう。
【００８２】
図１３は、図１２のステップＳ４５（調光タイプの明るさ処理）の詳細例を示すフローチャートである。ライトコントローラ４０は、明るさセンサの出力電圧値Ｖｓと第１の基準値との差分が第１のしきい値ｔｈ１より大きいか否かを判定する（Ｓ５１）。第１のしきい値ｔｈ１は、例えば、調光可能な明るさの分解能の最小ステップに相当する値でよい。
【００８３】
当該差分が第１のしきい値ｔｈ１より大きいと判定したとき、ライトコントローラ４０は、当該差分を０にするように新たな調光率を決定し（Ｓ５２）、決定した新たな調光率を指示するコマンドを照明器具グループに構成する照明器具に送信する（Ｓ５３）。上記の新たな調光率は、照明器具グループに構成する個々の照明器具に共通の値でよい。
【００８４】
また、当該差分が第１のしきい値ｔｈ１より大きくないと判定したとき、ライトコントローラ４０は、調光タイプの明るさ処理を終わる。
【００８５】
図１４は、図１２のステップＳ４６（調色タイプの明るさ処理）の詳細例を示すフローチャートである。ライトコントローラ４０は、照明光の現在の色温度に対応する基準値Ｖｒを算出する（Ｓ６１）。例えば、現在の色温度が複数の第２の基準値が対応する色温度（図８の場合、２７００Ｋ、４０００Ｋ、５０００Ｋ、６５００Ｋ）のいずれかと同じであれば、ライトコントローラ４０は当該第２の基準値Ｖｒｅｆ２を基準値Ｖｒとする。現在の色温度が複数の第２の基準値Ｖｒｅｆ２の対応する色温度のいずれとも同じでない場合、ライトコントローラ４０は、現在の色温度に対応する基準値Ｖｒを、複数の第２の基準値Ｖｒｅｆ２を補間することにより、例えば、図７の特性曲線を示すデータを用いて補間することにより算出する。
【００８６】
さらに、ライトコントローラ４０は、明るさセンサの出力電圧値Ｖｓと基準値Ｖｒとの差分が第２のしきい値ｔｈ２より大きいか否かを判定する（Ｓ６２）。第２のしきい値ｔｈ２は、例えば、調光可能な明るさの分解能の最小ステップに相当する値でよい。また、第２のしきい値ｔｈ２は、色温度毎に定義されてもよい。
【００８７】
当該差分が第２のしきい値ｔｈ２より大きいと判定したとき、ライトコントローラ４０は、当該差分を０にするように新たな調光率を決定し（Ｓ６３）、決定した新たな調光率を指示するコマンドを照明器具グループに構成する照明器具に送信する（Ｓ６４）。ここで、新たな調光率の決定について説明する。ライトコントローラ４０は、図７の例では、色温度５０００Ｋ、調光率５０％で測定された第２の基準値を用いて、調光率５０％における特性曲線（図７の一点鎖線）を推定する。ライトコントローラ４０は、調光率１００％における特性曲線（図７の実線）、および、調光率５００％における特性曲線（図７の一点鎖線）の２つの特性曲線を用いて、差分の大きさに応じて差分を０にするような新たな調光率を決定する。このような調色タイプの明るさ処理によれば、現在の照明光がどの色温度であっても明るさを一定に保つことができる。
【００８８】
上記のように実施の形態１に係るライトコントローラ、照明システムおよび基準値設定方法によれば、個々の照明器具のタイプおよび照明器具グループのタイプを判別し、調光タイプの設定処理と調色タイプの設定処置とを使い分けるので、明るさを一定に保つ明るさ制御のための基準値の設定処理を短縮可能である。具体的には、この基準値設定処理は、タイプの異なる照明器具が混在する様々な配置形態および接続形態に適用することができ、基準値設定処理に要する平均的な時間を短縮することができる。
【００８９】
以上のように実施の形態１に係るライトコントローラ４０は、居室の明るさを検出する明るさセンサ３０ｂ、３０ｃと、照明光を発する少なくとも１つの照明器具１０１、１０２、・・・、とに接続され、外光および照明光による居室の明るさを一定の明るさに保つ明るさ制御を行うライトコントローラ４０であって、明るさセンサ３０ｂ、３０ｃおよび少なくとも１つの照明器具と通信する第１通信部２１ａと、明るさ制御を行う制御回路４４とを備え、制御回路４４は、明るさ制御の準備段階として、一定の明るさに対応する明るさセンサ３０ｂ、３０ｃの出力電圧値を基準値として設定する基準値設定処理を行い、基準値設定処理において、少なくとも１つの照明器具のそれぞれが、調色機能を持たず調光機能を持つ第１タイプであるか、調色機能および調光機能を持つ第２タイプであるかを判別し、少なくとも１つの照明器具で構成される照明器具グループが第２タイプの照明器具を含むか否かを判別し、照明器具グループが第２タイプの照明器具を含まないと判別した場合には、照明器具グループを所定の調光率で点灯させた状態における、明るさセンサの出力電圧値を第１の基準値として設定し、照明器具グループが第２タイプの照明器具を含むと判別した場合には、照明器具グループを複数の色温度で所定の調光率で点灯させた複数の状態に対応する明るさセンサの複数の出力電圧値を、複数の第２の基準値として設定し、明るさ制御の運用段階において、設定した第１の基準値または複数の第２の基準値を用いて明るさ制御を行う。
【００９０】
これによれば、個々の照明器具のタイプおよび照明器具グループのタイプを判別し、調光タイプの設定処理と調色タイプの設定処置とを使い分けるので、明るさを一定に保つ明るさ制御のための基準値の設定処理を短縮可能である。
【００９１】
ここで、制御回路４４は、第１通信部２１ａを介して少なくとも１つの照明器具と通信することによって、少なくとも１つの照明器具のそれぞれが、第１タイプであるか第２タイプであるかを判別してもよい。
【００９２】
これによれば、個々の照明器具のタイプを通信によって容易に判別することができる。
【００９３】
なお、個々の照明器具のタイプは、通信によらなくても、ユーザまたは設置工事者の操作指示により判別してもよい。
【００９４】
ここで、上記の複数の色温度は少なくとも４つの色温度であってもよい。
【００９５】
これによれば、所定の調光率で点灯したときの色温度毎の明るさの違いを少なくとも４つ第２の基準値に反映させることができる。
【００９６】
ここで、制御回路４４は、照明器具グループが第２タイプの照明器具を含む場合には、照明器具グループを４つ色温度毎に所定の調光率で点灯させた状態、および、４つ色温度中の１つの色温度で所定の調光率と異なる調光率で点灯させた状態における５つの第２の基準値を設定してもよい。
【００９７】
これによれば、所定の調光率で点灯したときの色温度毎の明るさの違いを５つ第２の基準値に反映させることができる。
【００９８】
ここで、制御回路４４は、明るさ制御において、定期的に明るさセンサの出力電圧値を取得し、照明器具グループが第１タイプの照明器具を含み第２タイプの照明器具を含まない場合には、第１の基準値と取得した出力電圧値との差分が所定値以下になるように、照明器具グループの調光率を調整し、照明器具グループが第２タイプの照明器具を含む場合には、の照明光が発する照明光の現在の色温度を判別し、複数の第２の基準値に基づいて現在の色温度に対応する基準値を算出し、算出した基準値と取得した出力電圧値との差分が所定値以下になるように、の調光率を調整してもよい。
【００９９】
これによれば、第２タイプを含まない照明器具グループに対して第１の基準値を用いて明るさ制御をし、第２タイプを含む照明器具グループに対して複数の第２の基準値をどの色温度において明るさ制御を違和感なく適切にすることができる。
【０１００】
また、実施の形態１に係る照明システムは、複数の照明器具１０１〜１１３の明るさを制御するライトコントローラ４０と、複数の変換器（無線変換器２０ｂ、２０ｃ）と、複数の明るさセンサ３０ｂ、３０ｃとを備え、複数の照明器具１０６〜１１３は複数の照明器具グループＧ２、Ｇ３に分割され、ライトコントローラ４０と複数の変換器と複数の明るさセンサと複数の照明器具グループＧ２、Ｇ３は、１対ｎ対ｎ対ｎ（ｎは２以上の整数）で対応し、複数の変換器のそれぞれは、対応する照明器具グループを構成する照明器具とライトコントローラとの間でコマンドおよび応答を変換および中継し、複数の明るさセンサ３０ｂ、３０ｃのそれぞれは、対応する照明器具グループを構成する照明器具の照明光および外光による居室の明るさを検出し、ライトコントローラ４０は、複数の照明器具グループ毎に、外光および照明光による明るさを一定の明るさに保つ明るさ制御を行い、明るさ制御の準備段階として、複数の照明器具グループ毎に、一定の明るさに対応する明るさセンサ３０の出力電圧値を基準値として設定する基準値設定処理を行い、基準値設定処理において、当該照明器具グループを構成する照明器具のそれぞれが、調色機能を持たず調光機能を持つ第１タイプであるか、調色機能および調光機能を持つ第２タイプであるかを判別し、当該照明器具グループを第２タイプの照明器具を含むか否かを判別し、当該照明器具グループが第２タイプの照明器具を含まないと判別した場合には、当該照明器具グループを構成する照明器具を所定の調光率で点灯させた状態に対応する明るさセンサの出力電圧値を第１の基準値として設定し、当該照明器具グループが第２タイプの照明器具を含むと判別した場合には、当該照明器具グループを構成する照明器具を複数の色温度で所定の調光率で点灯させた複数の状態に対応する明るさセンサの複数の出力電圧値を、複数の第２の基準値として設定し、明るさ制御の運用段階において、複数の照明器具グループ毎に、設定した第１基準値または複数の第２の基準値を用いて明るさ制御を行う。
【０１０１】
これによれば、個々の照明器具のタイプおよび照明器具グループのタイプを判別し、調光タイプの設定処理と調色タイプの設定処置とを使い分けるので、明るさを一定に保つ明るさ制御のための基準値の設定処理を短縮可能である。
【０１０２】
ここで、ライトコントローラ４０は、変換器を介して複数の照明器具と通信することによって、複数の照明器具のそれぞれが、第１タイプであるか第２タイプであるかを判別してもよい。
【０１０３】
これによれば、個々の照明器具のタイプを、変換器を介した通信によって容易に判別することができる。
【０１０４】
ここで、上記の複数の色温度は少なくとも４つの色温度であってもよい。
【０１０５】
これによれば、所定の調光率で点灯したときの色温度毎の明るさの違いを少なくとも４つ第２の基準値に反映させることができる。
【０１０６】
ここで、ライトコントローラ４０は、照明器具グループが第２タイプの照明器具を含む場合には、照明器具グループを４つ色温度毎に所定の調光率で点灯させた状態、および、４つの色温度中の１つの色温度で所定の調光率と異なる調光率で点灯させた状態に対応する１５つの第２の基準値を設定してもよい。
【０１０７】
これによれば、所定の調光率で点灯したときの色温度毎の明るさの違いを５つ第２の基準値に反映させることができる。
【０１０８】
ここで、ライトコントローラ４０は、明るさ制御において、複数の照明器具グループ毎に、定期的に明るさセンサの出力電圧値を取得し、照明器具グループが第１タイプの照明器具を含み第２タイプの照明器具を含まない場合には、当該照明器具グループの第１の基準値と取得した出力電圧値との差分が所定値以下になるように、当該照明器具グループを構成する照明器具の調光率を調整し、照明器具グループが第２タイプの照明器具を含む場合には、当該照明器具グループの照明光が発する照明光の現在の色温度を判別し、当該照明器具グループの複数の第２の基準値に基づいて現在の色温度に対応する基準値を算出し、算出した基準値と取得した出力電圧値との差分が所定値以下になるように、当該照明器具グループを構成する照明器具の調光率を調整してもよい。
【０１０９】
これによれば、第２タイプを含まない照明器具グループに対して第１の基準値を用いて明るさ制御をし、第２タイプを含む照明器具グループに対して複数の第２の基準値をどの色温度において明るさ制御を違和感なく適切にすることができる。
【０１１０】
ここで、照明システムは、上記の複数の照明器具を備えてもよい。
【０１１１】
また、実施の形態１に係る基準値設定方法は、居室の明るさを検出する明るさセンサ３０と、照明光を発する少なくとも１つの照明器具１０１等とに接続され、外光および照明光による居室の明るさを一定の明るさに保つ明るさ制御を行うライトコントローラ４０における、一定の明るさに対応する明るさセンサ３０の出力電圧値を基準値として設定する基準値設定方法であって、少なくとも１つの照明器具のそれぞれが、調色機能を持たず調光機能を持つ第１タイプであるか、調色機能および調光機能を持つ第２タイプであるかを判別し、少なくとも１つの照明器具で構成される照明器具グループが、第２タイプの照明器具を含むか否かを判別し、照明器具グループが第２タイプの照明器具を含まないと判別した場合には、照明器具グループを所定の調光率で点灯させた状態に対応する明るさセンサの出力電圧値を第１の基準値として設定し、照明器具グループが第２タイプの照明器具を含むと判別した場合には、照明器具グループを複数の色温度毎に所定の調光率で点灯させた複数の状態に対応する明るさセンサの出力電圧値を複数の第２の基準値として設定する。
【０１１２】
これによれば、個々の照明器具のタイプおよび照明器具グループのタイプを判別し、調光タイプの設定処理と調色タイプの設定処置とを使い分けるので、明るさを一定に保つ明るさ制御のための基準値の設定処理を短縮可能である。
【０１１３】
（実施の形態２）
続いて、実施の形態２に係る照明システムについて説明する。実施の形態１では、複数の照明器具グループを有する照明システムの構成例を説明した。これに対して実施の形態２では１つの照明器具グループを有する照明システムの構成例を説明する。
【０１１４】
図１５は、実施の形態２に係る照明システムの構成例を示すブロック図である。同図の照明システムは、照明器具１１〜１３、明るさセンサ３０およびライトコントローラ４０を備える。図１５の照明システムは、図１と比べて、有線変換器２０ａ、無線変換器２０ｂおよび無線変換器２０ｃが削除された点と、明るさセンサ３０が追加された点とが主に異なっている。以下異なる点を中心に説明する。
【０１１５】
照明器具１１〜１３のそれぞれは、第１タイプの明器具と第２のタイプの照明器具のいずれかである点は実施の形態と同じであるが、ライトコントローラ４０と有線接続または無線接続によりライトコントローラ４０と直接通信する点が異なっている。照明器具１１〜１３は、１つの照明器具グループを構成する。この照明器具グループは、少なくとも１つの照明器具を備えていればよい。
【０１１６】
明るさセンサ３０は、実施の形態１の明るさセンサ３０ｂまたは３０ｃと同様であるが、ライトコントローラ４０と有線接続または無線接続によりライトコントローラ４０と直接通信する点が異なっている。
【０１１７】
ライトコントローラ４０は、照明光を発する少なくとも１つの照明器具（１１〜１３）に無線または有線により接続され、外光および照明光による居室の明るさを一定の明るさに保つ明るさ制御を行う。変換器を介さないで、ライトコントローラ４０は、照明器具１１〜１３および明るさセンサ３０と直接通信する。
【０１１８】
図１６は、実施の形態２に係るライトコントローラ４０における基準値設定処理を示すフローチャートである。同図は、図９と比べて、ループ１の繰り返しを１回分実行する点が異なっている。
【０１１９】
この基準値設定処理によれば、照明器具のタイプおよび照明器具グループのタイプを判別し、調光タイプの設定処理と調色タイプの設定処置とを使い分けるので、明るさを一定に保つ明るさ制御のための基準値の設定処理を短縮可能である。
【０１２０】
以上のように実施の形態２に係るライトコントローラ４０は、居室の明るさを検出する明るさセンサ３０と、照明光を発する少なくとも１つの照明器具１０１、１０２、・・・、とに接続され、外光および照明光による居室の明るさを一定の明るさに保つ明るさ制御を行うライトコントローラ４０であって、明るさセンサ３０および少なくとも１つの照明器具と通信する第１通信部２１ａと、明るさ制御を行う制御回路４４とを備え、制御回路４４は、明るさ制御の準備段階として、一定の明るさに対応する明るさセンサ３０の出力電圧値を基準値として設定する基準値設定処理を行い、基準値設定処理において、少なくとも１つの照明器具のそれぞれが、調色機能を持たず調光機能を持つ第１タイプであるか、調色機能および調光機能を持つ第２タイプであるかを判別し、少なくとも１つの照明器具で構成される照明器具グループが第２タイプの照明器具を含むか否かを判別し、照明器具グループが第２タイプの照明器具を含まないと判別した場合には、照明器具グループを所定の調光率で点灯させた状態における、明るさセンサの出力電圧値を第１の基準値として設定し、照明器具グループが第２タイプの照明器具を含むと判別した場合には、照明器具グループを複数の色温度で所定の調光率で点灯させた複数の状態に対応する明るさセンサの複数の出力電圧値を、複数の第２の基準値として設定し、明るさ制御の運用段階において、設定した第１の基準値または複数の第２の基準値を用いて明るさ制御を行う。
【０１２１】
これによれば、個々の照明器具のタイプおよび照明器具グループのタイプを判別し、調光タイプの設定処理と調色タイプの設定処置とを使い分けるので、明るさを一定に保つ明るさ制御のための基準値の設定処理を短縮可能である。
【０１２２】
以上、本発明に係るライトコントローラ、照明システムおよび基準値設定方法について、実施の形態に基づいて説明したが、本発明は、実施の形態に限定されるものではない。本発明の主旨を逸脱しない限り、当業者が思いつく各種変形を本実施の形態に施したものや、実施の形態および変形例における一部の構成要素を任意に組み合わせて構築される別の形態も、本発明の範囲内に含まれる。
【符号の説明】
【０１２３】
２０ｂ、２０ｃ    無線変換器（変換器）
３０、３０ｂ、３０ｃ    明るさセンサ
４０    ライトコントローラ
４２    第２通信部（通信部）
４４    制御回路
１０１〜１１３    照明器具
【図１】
2020009535.tif 000003
【図２】
2020009535.tif 000004
【図３】
2020009535.tif 000005
【図４】
2020009535.tif 000006
【図５】
2020009535.tif 000007
【図６】
2020009535.tif 000008
【図７】
2020009535.tif 000009
【図８】
2020009535.tif 000010
【図９】
2020009535.tif 000011
【図１０】
2020009535.tif 000012
【図１１】
2020009535.tif 000013
【図１２】
2020009535.tif 000014
【図１３】
2020009535.tif 000015
【図１４】
2020009535.tif 000016
【図１５】
2020009535.tif 000017
【図１６】
2020009535.tif 000018